(57)【要約】【課題】電波の放射パターンの向きが携帯電話機本体に対して常に一定の向きとなって、ばらつきが無くなり、アンテナ性能を向上することができるようにした移動通信端末装置および同装置用アンテナを提供する。【解決手段】本発明が適用された携帯電話機および携帯電話機用アンテナは、アンテナケース６の円筒形の内面にメアンダエレメント７を巻き付けて固着する。アンテナケース６の円筒形の外面には、切り欠かれたアンテナ凹部１ａを有する。携帯電話機側には、アンテナ凹部１ａに対向する位置に電話機ケース凸部１１ａを有する。アンテナケース６のアンテナ凹部１ａを、携帯電話機側の電話機ケース凸部１１ａに合わせて、嵌合させる。その後、携帯電話機用アンテナのホルダ３を携帯電話機側の固定ナット１２にねじ込むと、接続リング５ａと、メアンダエレメント７の接続片７ａが電気的に接続される。【選択図】  図３
2004304684.tif 000002
【特許請求の範囲】
【請求項１】
移動通信端末装置本体と、
この移動通信端末装置本体のアンテナ取り付け部に形成された第１の嵌合部と、前記移動通信端末装置本体の前記アンテナ取り付け部の下側に設けられたアンテナホルダ固定部材と、
内側の中空部分に引出しエレメントが摺動可能に取り付けられ、その端部に前記アンテナホルダ固定部材に固定される金属部が形成され、その金属部の上部に接続突起が形成されているホルダと、
内側の中空部分に前記ホルダが挿入され、前記移動通信端末装置本体の前記第１の嵌合部と嵌合する第２の嵌合部が端部に形成され、前記ホルダの前記接続突起と接する給電接続片を有する固定エレメントが内壁に取り付けられているアンテナケースと
を有することを特徴とする移動通信端末装置。
【請求項２】
前記移動通信端末装置本体の前記第１の嵌合部は凸部または凹部であり、前記第１の嵌合部と嵌合する前記アンテナケースの第２の嵌合部は凹部または凸部であることを特徴とする請求項１に記載の移動通信端末装置。
【請求項３】
前記移動通信端末装置本体の前記第１の嵌合部と前記アンテナケースの前記第２の嵌合部との嵌合する位置と前記アンテナケースの前記給電接続片の位置とは、所定の位置関係を有して固定されていることを特徴とする請求項１に記載の移動通信端末装置。
【請求項４】
前記アンテナケースの内壁に形成される凹部に前記固定エレメントが埋め込まれ、前記固定エレメントの前記給電接続片が前記内壁から突出していることを特徴とする請求項１記載の移動通信端末装置。
【請求項５】
前記固定エレメントは、アンテナ指向性が均一でない放射パターン特性を有することを特徴とする請求項１記載の移動通信端末装置。
【請求項６】
前記固定エレメントは、メアンダエレメント又はコイルエレメントであること特徴とする請求項１記載の移動通信端末装置。
【請求項７】
前記ホルダの頭部はＴ型形状を有し、前記ホルダの頭部と前記移動通信端末装置本体の前記アンテナ取り付け部との間に前記アンテナケースを保持することを特徴とする請求項１記載の移動通信端末装置。
【請求項８】
前記ホルダの前記接続突起が接続リングによって構成され、前記接続リングによって前記アンテナケースの前記給電接続片のバネ形状を押圧して接していることを特徴とする請求項１記載の移動通信端末装置。
【請求項９】
移動通信端末装置本体と、
この移動通信端末装置本体のアンテナ取り付け部に形成された第１の嵌合部と、前記移動通信端末装置本体の前記アンテナ取り付け部の下側に設けられた固定ナットと、
内側の中空部分に引出しエレメントが摺動可能に取り付けられ、その端部に前記固定ナットと螺号するネジ部を有する金属部が形成され、その金属部の上部に接続リングが形成されているホルダと、
内側の中空部分に前記ホルダが挿入され、前記移動通信端末装置本体の前記第１の嵌合部と嵌合する第２の嵌合部が端部に形成され、前記ホルダの前記接続リングと接する給電接続片を有する固定エレメントが内壁に取り付けられているアンテナケースと
を有し、
前記移動通信端末装置本体と前記アンテナケースが嵌合した状態で前記ホルダを回転し、前記ホルダの前記金属部のネジ部が前記移動通信端末装置本体の前記固定ナットに螺号することによって前記アンテナケースが固定され、前記ホルダの前記接続リングと前記アンテナケースの前記給電接続片を接続することを特徴とする移動通信端末装置。
【請求項１０】
前記移動通信端末装置本体の前記第１の嵌合部と前記アンテナケースの前記第２の嵌合部との嵌合する位置と前記アンテナケースの前記給電接続片の位置とは、所定の位置関係を有して固定されていることを特徴とする請求項９に記載の移動通信端末装置。
【請求項１１】
内側の中空部分に引出しエレメントが摺動可能に取り付けられ、その端部に移動通信端末装置本体のアンテナ取り付け部の下側に設けられたアンテナホルダ固定部材に固定される金属部が形成され、その金属部の上部に接続突起が形成されているホルダと、
内側の中空部分に前記ホルダが挿入され、前記移動通信端末装置本体の前記アンテナ取り付け部に形成された第１の嵌合部と嵌合する第２の嵌合部が端部に形成され、前記ホルダの前記接続突起と接する給電接続片を有する固定エレメントが内壁に取り付けられているアンテナケースと
を有することを特徴とする移動通信端末装置用アンテナ。
【請求項１２】
前記移動通信端末装置本体の前記第１の嵌合部と嵌合する前記アンテナケースの第２の嵌合部は凹部または凸部であることを特徴とする請求項１１に記載の移動通信端末装置用アンテナ。
【請求項１３】
前記移動通信端末装置本体の前記第１の嵌合部と前記アンテナケースの前記第２の嵌合部との嵌合する位置と前記アンテナケースの前記給電接続片の位置とは、所定の位置関係を有して固定されていることを特徴とする請求項１１に記載の移動通信端末装置用アンテナ。
【請求項１４】
前記アンテナケースの内壁に形成される凹部に前記固定エレメントが埋め込まれ、前記固定エレメントの前記給電接続片が前記内壁から突出していることを特徴とする請求項１１記載の移動通信端末装置用アンテナ。
【請求項１５】
前記固定エレメントは、アンテナ指向性が均一でない放射パターン特性を有することを特徴とする請求項１１記載の移動通信端末装置用アンテナ。
【請求項１６】
前記固定エレメントは、メアンダエレメント又はコイルエレメントであること特徴とする請求項１１記載の移動通信端末装置用アンテナ。
【請求項１７】
前記ホルダの頭部はＴ型形状を有し、前記ホルダの頭部と前記移動通信端末装置本体の前記アンテナ取り付け部との間に前記アンテナケースを保持することを特徴とする請求項１１記載の移動通信端末装置用アンテナ。
【請求項１８】
前記ホルダの前記接続突起が接続リングによって構成され、前記接続リングによって前記アンテナケースの前記給電接続片のバネ形状を押圧して接していることを特徴とする請求項１１記載の移動通信端末装置用アンテナ。
【請求項１９】
内側の中空部分に引出しエレメントが摺動可能に取り付けられ、その端部に移動通信端末装置本体のアンテナ取り付け部の下側に設けられた固定ナットと螺号するネジ部を有する金属部が形成され、その金属部の上部に接続リングが形成されているホルダと、
内側の中空部分に前記ホルダが挿入され、前記移動通信端末装置本体の前記アンテナ取り付け部に形成された第１の嵌合部と嵌合する第２の嵌合部が端部に形成され、前記ホルダの前記接続リングと接する給電接続片を有する固定エレメントが内壁に取り付けられているアンテナケースと
を有し、
前記移動通信端末装置本体と前記アンテナケースが嵌合した状態で前記ホルダを回転し、前記ホルダの前記金属部のネジ部が前記移動通信端末装置本体の前記固定ナットに螺号することによって前記アンテナケースが固定され、前記ホルダの前記接続リングと前記アンテナケースの前記給電接続片を接続することを特徴とする移動通信端末装置用アンテナ。
【請求項２０】
前記移動通信端末装置本体の前記第１の嵌合部と前記アンテナケースの前記第２の嵌合部との嵌合する位置と前記アンテナケースの前記給電接続片の位置とは、所定の位置関係を有して固定されていることを特徴とする請求項１９に記載の移動通信端末装置用アンテナ。
【発明の詳細な説明】
【０００１】
【発明の属する技術分野】
本発明は、携帯電話機等の移動通信端末装置および同装置用アンテナに関するもので、特に、メアンダ方式エレメントなどの固定エレメントを有するアンテナ構造に関する。
【０００２】
【従来の技術】
図４〜図６は、従来の移動通信端末装置の１つである携帯電話機の構造図を示す。図４は携帯電話機の外観斜視図を示す。図５は携帯電話機用アンテナの内部構造図を示し、図５（ａ）はアンテナ軸に直交する方向から見たアンテナの断面図、図５（ｂ）はアンテナ軸方向下部から見たアンテナの断面図、図５（ｃ）は固定エレメントの展開図を示す。図６は携帯電話機のアンテナ実装部の内部構造図を示し、図６（ａ）はアンテナ軸に直交する方向から見たアンテナ実装部の断面図、図６（ｂ）および図６（ｃ）はアンテナ軸方向下部から見たアンテナ実装部の断面図を示す。
【０００３】
以下、従来の技術を図面を参照して説明する。図４は、携帯電話機の外観斜視図で、この携帯電話機は、電話機ケース６１の端部に収容可能に設けられたアンテナ５１を具備している。電話機ケース６１とアンテナ５１とは、ネジ構造により螺合されている。
【０００４】
図５（ａ）は、アンテナ軸に直交する方向から見たアンテナの断面図で、アンテナ５１は、２個のアンテナエレメント、すなわち、引出しエレメント５２と、固定式のメアンダエレメント５７を備えている。また、電話機ケース６１に取り付けられるアンテナケース５６、およびメアンダエレメント５７の内側に設けられるホルダ５３を備えている。
【０００５】
引出しエレメント５２は、円筒形のホルダ５３の中空部分で支持されて、収納位置から引出し位置へ、また、引出し位置から収納位置へ摺動可能となっている。
【０００６】
ホルダ５３は、上側のホルダ樹脂部５４と下側のホルダ金属部５５とが接合された構造である。ホルダ金属部５５は、メアンダエレメント５７の開始部５７ａに接して給電するための接続リード５５ａを有する。また、ホルダ金属部５５の下部にはネジ構造のネジ５５ｂを有する。
【０００７】
図５（ｃ）は、メアンダエレメント５７の展開図で、携帯電話機本体からの無線信号の給電端部である開始部５７ａ、および折り曲げ部５７ｂ、５７ｃ、５７ｄを有する構造である。
【０００８】
メアンダエレメント５７は、ホルダ５３のホルダ樹脂部５４の円筒外周面に巻き付けて、接着剤等で固着される。この時、開始部５７ａは、ホルダ金属部５５の接続リード５５ａと接合して、圧着等により電気的に接続される。
【０００９】
図５（ｂ）は、このメアンダエレメント５７が巻き付けられた状態でのアンテナ軸方向下部から見たアンテナの断面図であり、図５（ａ）のＡ−Ａ断面を示す。メアンダエレメント５７の開始部５７ａおよび折り曲げ部５７ｂ、５７ｃ、５７ｄがホルダ５３のホルダ樹脂部５４の円筒外周面に巻き付けられている。この後、アンテナケース５６をホルダ５３に被せて、接着剤等で固着し、アンテナケース５６、メアンダエレメント５７およびホルダ５３は固着された一体構造となる。
【００１０】
次に、図６により、携帯電話機本体へのアンテナ５１の実装について説明する。携帯電話機本体側の電話機ケース６１のアンテナ取り付け部には、固定ナット６２が固着されている。また、携帯電話機本体側の内部には、接栓バネ６４が端部に半田付けされた配線基板６３が設けられている。この接栓バネ６４は、固定ナット６２に押圧されて電気的に接触している。
【００１１】
この携帯電話機本体側へのアンテナ５１の取り付けは、アンテナケース５６の内側に図５に示す部品を装着した状態で、アンテナケース５６を取り付け部にねじ込むことにより行なわれる。即ち、アンテナケース５６の内側には、メアンダエレメント５７およびホルダ５３が固着された一体構造をなし、アンテナケース５６を携帯電話機本体の取り付け部にねじ込むと、ホルダ金属部５５が固定ナット６２にねじ込まれて、アンテナ５１が携帯電話機本体に固定される。この状態において、無線信号は、配線基板６３から、接栓バネ６４、固定ナット６２、ホルダ金属部５５を経由して、メアンダアンテナ５７に給電される。引出しアンテナ５２への給電は、説明を省略する。
【００１２】
図６（ｂ）および図６（ｃ）は、アンテナ軸方向下部から見たアンテナ実装部の断面図であり、図６（ａ）のＡ−Ａ断面を示す。アンテナケース５６の内側に、メアンダエレメント５７およびホルダ５３が固着された一体構造のアンテナ５１が、電話機ケース６１の内部にねじ込まれている。
【００１３】
また、図６（ｂ）は、アンテナ５１をねじ込んだ時に、メアンダエレメント５７の開始部５７ａが時計方向「３時の位置」で止まっている状態であり、折り曲げ部５７ｂ、５７ｃ、５７ｄも図示した位置にある。図６（ｃ）は、ねじ込む時の力加減で、開始点５７ａが時計方向「５時の位置」で停止している状態であり、それに対応して、折り曲げ部５７ｂ、５７ｃ、５７ｄも、図６（ｂ）のそれとは異なる位置に停止している。
【００１４】
別の従来の技術として、引出しアンテナの回動に伴う放射パターンの変化を抑える引出しアンテナのポール収納構造が知られている（例えば、特許文献１参照。）。
【００１５】
この引出しアンテナは、アンテナトップにコイルアンテナを有している。コイルアンテナは、コイル巻き始め端部およびコイル巻き終わり端部によって、コイル軸線に関して非対称な形状である。そのため、引出しアンテナが回動すると、コイルアンテナの放射パターンが変化してしまう。それを防ぐために、アンテナトップと機器筐体との当接面に、それぞれが互いに嵌合可能な凹凸部を設けている。そして、凹凸部が嵌合するように、使用者が引出しアンテナを機器筐体に収容することにより、引出しアンテナ収容時のコイルアンテナの放射パターンを同一方向になるようにすることができる。
【００１６】
【特許文献１】
特開２００１−１８５９２６号公報（第４頁、図１）
【００１７】
【発明が解決しようとする課題】
ところで、図４〜図６に示した従来の携帯電話機およびアンテナにおいては、メアンダエレメント５７等が装着されたアンテナ５１を取り付け部にねじ込んで、ホルダ５３を携帯電話機本体側の固定ナット６２にネジ止めしている。ところが、ネジ止めの場合は、ネジ山の形状やネジ止めの力加減により、図６（ｂ）や（ｃ）のように停止位置がばらついてしまい、その結果、固定エレメントの放射パターンの向きが一定せずに、携帯電話機毎にアンテナ性能にばらつきが生じるという問題があった。
【００１８】
また、特許文献１においては、使用者の操作状態によっては、常に凹凸部が嵌合するように引出しアンテナを機器筐体に収容するとは限らないため、収容位置を特定できずに、その結果、アンテナコイルの放射パターンの向きが一定しないという問題があった。
【００１９】
本発明は、上記の問題点を解決するためになされたもので、アンテナ指向性が均一でない放射パターンを有するアンテナエレメントの向きが常に同一方向に固定されるようにした移動通信端末装置および同装置用アンテナを提供することを目的とする。
【００２０】
【課題を解決するための手段】
上記目的を達成するために、本発明の移動通信端末装置は、移動通信端末装置本体と、この移動通信端末装置本体のアンテナ取り付け部に形成された第１の嵌合部と、前記移動通信端末装置本体の前記アンテナ取り付け部の下側に設けられたアンテナホルダ固定部材と、内側の中空部分に引出しエレメントが摺動可能に取り付けられ、その端部に前記アンテナホルダ固定部材に固定される金属部が形成され、その金属部の上部に接続突起が形成されているホルダと、内側の中空部分に前記ホルダが挿入され、前記移動通信端末装置本体の前記第１の嵌合部と嵌合する第２の嵌合部が端部に形成され、前記ホルダの前記接続突起と接する給電接続片を有する固定エレメントが内壁に取り付けられているアンテナケースとを有することを特徴とする。
【００２１】
また、本発明の移動通信端末装置用アンテナは、内側の中空部分に引出しエレメントが摺動可能に取り付けられ、その端部に移動通信端末装置本体のアンテナ取り付け部の下側に設けられたアンテナホルダ固定部材に固定される金属部が形成され、その金属部の上部に接続突起が形成されているホルダと、内側の中空部分に前記ホルダが挿入され、前記移動通信端末装置本体の前記アンテナ取り付け部に形成された第１の嵌合部と嵌合する第２の嵌合部が端部に形成され、前記ホルダの前記接続突起と接する給電接続片を有する固定エレメントが内壁に取り付けられているアンテナケースとを有することを特徴とする。
【００２２】
【発明の実施の形態】
以下、本発明の実施の形態を図面を参照して説明する。
【００２３】
図１〜図３は、本発明を携帯電話機および携帯電話機用アンテナに適用した実施の形態を示す。図１は携帯電話機の外観斜視図を示す。図２は携帯電話機用アンテナの内部構造図を示し、図２（ａ）はアンテナ軸に直交する方向から見たアンテナの断面図、図２（ｂ）はアンテナ軸方向下部から見たアンテナの断面図、図２（ｃ）は固定エレメントの展開図を示す。図３は携帯電話機のアンテナ実装部の内部構造図を示し、図３（ａ）はアンテナ軸に直交する方向から見たアンテナ実装部の断面図、図３（ｂ）および図３（ｃ）はアンテナ軸方向下部から見たアンテナ実装部の断面図を示す。
【００２４】
図１に示すように、この実施の形態の携帯電話機は、電話機ケース１１の端部に収容可能に設けられたアンテナ１を具備している。アンテナ１のアンテナケース６には、凹状に切り欠かれたアンテナ凹部１ａが形成されている。また、電話機ケース１１のアンテナ取り付け位置には、電話機ケース凸部１１ａが形成されて、アンテナケース６のアンテナ凹部１ａと嵌合するようになっている。
【００２５】
図２（ａ）は、アンテナ軸に直交する方向から見たアンテナの断面図で、アンテナ１は、２個のアンテナエレメント、すなわち、引出しエレメント２と、固定式のメアンダエレメント７を備えている。また、アンテナケース６にホルダ樹脂部４が収納されるホルダ３およびメアンダエレメント７が内側に埋め込まれているアンテナケース６を備えている。
【００２６】
引出しエレメント２は、円筒形のホルダ３の中空部分で支持されて、収納位置から引出し位置へ、また、引出し位置から収納位置へ摺動可能となっている。
【００２７】
ホルダ３は、頭部がＴ字型形状を有しており、その上部のホルダ樹脂部４と下部のホルダ金属部５とが接合された構造である。ホルダ金属部５の上側には、メアンダエレメント７に形成される接続片７ａに接して給電するための円盤状の接続リング５ａが形成されている。また、ホルダ金属部５の下部にはネジ構造のネジ部５ｂを有する。
【００２８】
図２（ｃ）は、メアンダエレメント７の展開図で、携帯電話機本体からの無線信号の給電端部である接続片７ａ、および折り曲げ部７ｂ、７ｃ、７ｄを有し、接続片７ａはバネ状となって、ホルダ金属部５の接触リング５ａに押圧している。
【００２９】
アンテナケース６は、円筒形で、下側の外壁部分には、切り欠かれたアンテナ凹部１ａが形成されている。また、円筒形の内壁部分には、メアンダエレメント７を収納するために削り取られた空間であるメアンダ収納凹部６ａが形成されている。更に、メアンダエレメント７の接続片７ａが収納される空間である接続片収納部６ｂが形成されている。
【００３０】
この接続片収納部６ｂにメアンダエレメント７の接続片７ａを合わせて、メアンダエレメント７全体がアンテナ収納凹部６ａに埋め込まれ、メアンダエレメント７がアンテナケース６の中空部分の内側壁面に接着剤等で固着される。この時、メアンダエレメント７の接続片７ａはアンテナ収納凹部６ａから少し突出する形状をなす。
【００３１】
そして、このアンテナケース６とメアンダエレメント７が固着された状態において、円筒形の中空部分に、ホルダ３が挿入されて、一体形成される構成としている。
【００３２】
図２（ｂ）は、このメアンダエレメント７が固着された状態でのアンテナ軸方向下部から見たアンテナケース６の断面図を示す。アンテナケース６は樹脂で造られているが、固着されたメアンダエレメント７の説明をわかりやすくするために、ハッチングは省略している。この図に示すように、メアンダエレメント７の接続片７ａが接続片収納部６ｂに収納されて位置決めされ、折り曲げ部７ｂ、７ｃ、７ｄがアンテナケース６の中空部分の内側壁面に収納されている。
【００３３】
ここで、アンテナケース６のアンテナ凹部１ａと接続片収納部６ｂとは一定の位置関係にある。ゆえに、アンテナ凹部１ａと、メアンダエレメント７の接続片７ａおよび折り曲げ部７ｂ、７ｃ、７ｄとは、常に相対的に一定である位置関係にある。
【００３４】
次に、図３により、携帯電話機本体へのアンテナ１の実装について説明する。携帯電話機本体側の電話機ケース１１のアンテナ取り付け部には、電話機ケース凸部１１ａが形成されている。また、電話機ケース１１のアンテナ取り付け部の下側には、固定ナット１２が固着されている。また、携帯電話機本体側には、接栓バネ１４が端部に半田付けされた配線基板１３が設けられている。この接栓バネ１４は、固定ナット１２に押圧されて電気的に接触している。
【００３５】
この携帯電話機本体側へのアンテナ１の取り付けは、まず、アンテナケース６の内側に図２に示す部品を装着した状態で、アンテナケース６を電話機ケース１１の取り付け部に挿入する。この時、アンテナケース６のアンテナ凹部１ａと電話機ケース１１の電話機ケース凸部１１ａとが合致するように挿入を行う。この時点で、電話機ケース凸部１１ａと、メアンダエレメント７の接続片７ａおよび折り曲げ部７ｂ、７ｃ、７ｄとは、常に相対的に一定である位置関係をもって、実装される。
【００３６】
次に、ホルダ３をアンテナケース６の中空部分に回転させながら挿入し、ホルダ金属部５のネジ部５ｂを、携帯電話機本体側の固定ナット１２にねじ込んで行く。この時、ホルダ金属部５の接続リング５ａも回転しながら、メアンダエレメント７の接続片７ａのバネ部分に接触して、外側へ押圧した位置で固定される。ゆえに、接続リング５ａとメアンダエレメント７の接続片７ａの電気的接続は安定したものとなる。
【００３７】
また、ホルダ３のホルダ樹脂部４は、メアンダエレメント７と相対する位置に位置付けられるが、樹脂で構成されるため、メアンダエレメント７の電波放射に影響を与えることはない。
【００３８】
また、ホルダ３の頭部がＴ字型の形状を有し、アンテナケース６のトップ部分の上面部を押しつける構造となっている。これにより、ホルダ３の頭部と電話機ケース凸部１１ａが設けられるアンテナ取り付け部との間にアンテナケース６が保持される構造となる。
【００３９】
この状態において、配線基板１３に実装された無線回路（図示せず）からの無線信号は、配線基板１３から、接栓バネ１４、固定ナット１２、ホルダ金属部５のネジ部５ｂ、接続リング５ａを経由して、メアンダエレメント７の接続片７ａに給電される。
【００４０】
また、引出しエレメント２は、金属のポール（図示せず）を樹脂で囲んで形成されている。この引出しエレメント２の下部と固定ナット１２は、容量結合に適した間隔を設けて離れて、位置決めされている。そして、配線基板１３に実装された無線回路（図示せず）からの無線信号は、配線基板１３から、接栓バネ１４、固定ナット１２を経由して、容量結合により、引出しエレメント２に給電される。
【００４１】
図３（ｂ）は、アンテナ軸方向下部から見たアンテナ実装部の断面図であり、図３（ａ）のＡ−Ａ断面を示す。アンテナケース６は樹脂であるが、固着されたメアンダエレメント７の説明をわかりやすくするために、ハッチングは省略している。電話機ケース凸部１１ａと、メアンダエレメント７の接続片７ａおよび折り曲げ部７ｂ、７ｃ、７ｄとは、常に相対的に一定である位置関係に取り付けられている。
【００４２】
また、接続リング５ａと、メアンダエレメント７の接続片７ａとが、電気的に安定した接触を得ている。
【００４３】
なお、上述した実施の形態では、メアンダエレメント７をアンテナケース６の円筒形の内壁に収容するために、この中空部分の内壁を更に削り取って、メアンダ収納凹部６ａを設けた。しかし、メアンダ収納凹部６ａを設けることなく、中空部分の内壁に直接、メアンダエレメント７を貼りつけてもよい。この貼り付けに際しては、アンテナケース６のアンテナ凹部１ａと、メアンダエレメント７の接続片７ａとが一定の位置関係を有するように貼り付ける。
【００４４】
また、メアンダエレメントについて説明を行ったが、本発明はこれに限定されることなく、例えば、コイルエレメントのように、アンテナ指向性が均一でない放射パターンを有するアンテナエレメントに適用してもよい。
【００４５】
また、電話機ケース１１の電話機ケース凸部１１ａの形状を凹部にして、それに対応するホルダ３のアンテナ凹部１ａの形状を凸部の形状にしてもよい。
【００４６】
更に、上述した各実施の形態においては、本発明を携帯電話機および携帯電話機用アンテナに適用したが、ＰＤＡ等の移動通信端末装置および同装置用アンテナにおいても、本発明を有効に適用し得ることは言うまでもない。
【００４７】
【発明の効果】
このように、本発明によれば、アンテナ指向性が均一でない放射パターンを有するアンテナエレメントにあって、放射パターンの向きが携帯電話機本体に対して常に一定の向きとなって、ばらつきが無くなり、アンテナ性能を向上することが可能となる。
【図面の簡単な説明】
【図１】本発明に関わる実施の形態を示す携帯電話機の外観斜視図。
【図２】本発明に関わる実施の形態を示す携帯電話機用アンテナの構造図。
【図３】本発明に関わる実施の形態を示す携帯電話機のアンテナ実装部の構造図。
【図４】従来の技術を示す携帯電話機の外観斜視図。
【図５】従来の技術を示す携帯電話機用アンテナの構造図。
【図６】従来の技術を示す携帯電話機のアンテナ実装部の構造図。
【符号の説明】
１  アンテナ
１ａ  アンテナ凹部
２  引出しエレメント
３  ホルダ
４  ホルダ樹脂部
５  ホルダ金属部
５ａ  接続リング
５ｂ  ネジ部
６  アンテナケース
６ａ  メアンダ収納凹部
６ｂ  接続片収納部
７  メアンダエレメント
７ａ  接続片
７ｂ、７ｃ、７ｄ  折り曲げ部
１１  電話機ケース
１１ａ  電話機ケース凸部
１２  固定ナット
１３  配線基板
１４  接栓バネ
【図１】
2004304684.tif 000003
【図２】
2004304684.tif 000004
【図３】
2004304684.tif 000005
【図４】
2004304684.tif 000006
【図５】
2004304684.tif 000007
【図６】
2004304684.tif 000008